(57)【要約】【課題】締付部材が破損したときでも配線・ホース類の脱落を防ぐことができ、配線・ホース類の脱落の懸念なくこの配線・ホース類を締付け固定することができる配線・ホース類の固定装置の提供。【解決手段】ブラケット４に固定され配線・ホース類５が載置される固定部材Ａと、この固定部材Ａに係着され配線・ホース類５を締付ける締付部材Ｂとから成る配線・ホース類の固定装置において、固定部材Ａが、１本の金属製の丸棒を折り曲げ形成して作製され、互いに並設されてブラケット４に取付けられ配線・ホース類５の保持が可能な弧状凹部１ｂ１、２ｂ１を有する第１フック状部１及び第２フック状部２と、これらの第１フック状部１及び第２フック状部２を一体に連結する連結部３とを含む構成とし、配線・ホース類５を第１フック状部１及び第２フック状部２に載置し、連結部３に締付部材Ｂで締付けて固定する。【選択図】図３
2010112476.tif 000002
【特許請求の範囲】
【請求項１】
所定部材に固定され配線・ホース類が載置される固定部材と、この固定部材に係着され前記配線・ホース類を締付ける締付部材とから成る配線・ホース類の固定装置において、
前記固定部材が、互いに並設されて前記所定部材に取付けられ前記配線・ホース類の保持が可能な凹部を有する複数のフック状部と、これらのフック状部を一体に連結する連結部とを含むことを特徴とする配線・ホース類の固定装置。
【請求項２】
請求項１に記載の配線・ホース類の固定装置において、
前記各フック状部は、前記所定部材から離れる側に位置する第１鉛直部と、この第１鉛直部の下端に連結される湾曲部と、この湾曲部に連結され前記第１鉛直部に対向して配置されるとともに、前記所定部材に取付けられる第２鉛直部と、この第２鉛直部の上端に連結され、前記第１鉛直部方向に傾斜する傾斜部とを有し、
前記連結部を前記傾斜部に連結したことを特徴とする配線・ホース類の固定装置。
【請求項３】
請求項２に記載の配線・ホース類の固定装置において、
前記各フック状部の第１鉛直部に前記所定部材に向かって延設され、前記配線・ホース類の上方向の動きを規制する規制部を設けたことを特徴とする配線・ホース類の固定装置。
【請求項４】
請求項１ないし３のいずれか１項に記載の配線・ホース類の固定装置において、
前記固定部材は、１本の金属製の丸棒を折り曲げ形成して作製されることを特徴とする配線・ホース類の固定装置。
【請求項５】
請求項１ないし３のいずれか１項に記載の配線・ホース類の固定装置において、
前記固定部材のそれぞれが複数の前記連結部を有することを特徴とする配線・ホース類の固定装置。
【発明の詳細な説明】
【技術分野】
【０００１】
本発明は、油圧ショベル等の建設機械に備えられ、電気機器同士を接続する配線や、油圧機器同士を接続するホース等を、機器間に位置する所定部材に固定するための配線・ホース類の固定装置に関するものである。
【背景技術】
【０００２】
配線・ホース類の固定装置としては、特許文献１に示される従来技術がある。図９はこの特許文献１に開示された配線・ホース類の固定装置を示す斜視図である。図９に示すように、従来の配線・ホース類の固定装置は、所定部材１０に固定され配線・ホース類１２が載置される固定部材１１と、この固定部材１１に係着され配線・ホース類１２を締付ける締付部材１３とを備えている。
【０００３】
固定部材１１は、バンド挿入部１１ａ１を形成する円環状部１１ａと、この円環状部１１ａから直線状に延びて配線・ホース類１２を載置可能な載置部１１ｂと、この載置部１１ｂからＶ字状に広がった図示しない曲げ部を介して載置部１１ｂとそれぞれ直角に設けられた固定部１１ｃ、１１ｄとで構成されており、これら固定部１１ｃ、１１ｄが所定部材１０に固着されている。締付部材１３は、固定部材１１のバンド挿入部１１ａ１に挿入されて配線・ホース類１２を載置部１１ｂに巻き付けて固定するバンド１３ａと、このバンド１３ａの一端に設けられ、配線・ホース類１２を載置部１１ｂに巻き付けて余ったバンド１３ａの他端側が挿入され、この他端側を抜け止めする抜け止め具１３ｂとで構成されている。
【０００４】
このように構成される従来の配線・ホース類の固定装置を使用する場合、まず固定部１１ｃ、１１ｄを所定部材１０に固着し、載置部１１ｂに配線・ホース類１２を載置する。次に、配線・ホース類１２を載置したまま、締付部材１３のバンド１３ａをバンド挿入部１１ａ１に上方から挿入し、このバンド１３ａを配線・ホース類１２に巻き付けて抜け止め具１３ｂに挿入する。最後に、この抜け止め具１３ｂを通ったバンド１３ａの端部を引っ張り、配線・ホース類１２を締付けて固定する。
【特許文献１】特開２００７−５１７０４号公報
【発明の開示】
【発明が解決しようとする課題】
【０００５】
前述した従来の配線・ホース類の固定装置では、長期間の使用によって締付部材１３に疲労や摩耗が生じ、締付部材１３が破損する場合がある。この場合、配線・ホース類の固定装置は油圧ショベル等の動的な建設機械に備えられているので、これらの建設機械の振動等によって、配線・ホース類１２が平坦状に形成されている載置部１１ｂから脱落する虞がある。そのため、配線・ホース類の固定装置の安定性が低いという問題があった。また、配線・ホース類の固定装置を使用する場合、一方の手で配線・ホース類１２が平坦状の載置部１１ｂから脱落しないように保持しつつ、他方の手で締付部材１３を配線・ホース類１２に巻き付ける煩雑な作業が必要になる。その結果、配線・ホース類１２を締付け固定する際の作業性が低くなりやすいという問題があった。
【０００６】
本発明は、このような従来技術の実情に鑑みてなされたもので、その目的は、締付部材が破損したときでも配線・ホース類の脱落を防ぐことができ、配線・ホース類の脱落の懸念なくこの配線・ホース類を締付け固定することができる配線・ホース類の固定装置を提供することにある。
【課題を解決するための手段】
【０００７】
上記の目的を達成するために、本発明の配線・ホース類の固定装置は、所定部材に固定され配線・ホース類が載置される固定部材と、この固定部材に係着され前記配線・ホース類を締付ける締付部材とから成る配線・ホース類の固定装置において、前記固定部材が、互いに並設されて前記所定部材に取付けられ前記配線・ホース類の保持が可能な凹部を有する複数のフック状部と、これらのフック状部を一体に連結する連結部とを含むことを特徴としている。
【０００８】
このように構成された本発明では、固定部材の凹部によって配線・ホース類を保持することができるので、締付部材が破損した場合には、建設機械等の振動による配線・ホース類の脱落をこの固定部材の凹部に配線・ホース類が収容保持されることによって防止することができる。また、配線・ホース類の固定装置を使用するときには、固定部材の凹部が配線・ホース類を保持することができるので、締付部材を両手で扱うことができ、容易に配線・ホース類を固定部材に締付け固定することができる。
【０００９】
また、本発明に係る配線・ホース類の固定装置は、各フック状部は、所定部材から離れる側に位置する第１鉛直部と、この第１鉛直部の下端に連結される湾曲部と、この湾曲部に連結され第１鉛直部に対向して配置されるとともに、所定部材に取付けられる第２鉛直部と、この第２鉛直部の上端に連結され、第１鉛直部方向に傾斜する傾斜部とを有し、連結部を傾斜部に連結したことを特徴としている。このように構成された本発明では、第２鉛直部の上端に連結された傾斜部によって、傾斜部に連結された連結部と所定部材の間に締付部材を挿通させることができる隙間を形成することができるので、締付作業が容易になる。
【００１０】
また、本発明に係る配線・ホース類の固定装置は、各フック状部の第１鉛直部に所定部材に向かって延設され、配線・ホース類の上方向の動きを規制する規制部を設けたことを特徴としている。このように構成された本発明では、締付部材が破損した場合において、配線・ホース類が振動を受けて上下方向に移動しても、第１鉛直部に設けられた規制部によって配線・ホース類の動きを規制することができるので、配線・ホース類の固定部材からの脱落を確実に防止することができる。
【００１１】
また、本発明に係る配線・ホース類の固定装置は、固定部材は、１本の金属製の丸棒を折り曲げ形成して作製されることを特徴としている。このように構成された本発明では、固定部材を簡単に作ることができる。
【００１２】
また、本発明に係る配線・ホース類の固定装置は、固定部材のそれぞれが複数の連結部を有することを特徴としている。このように構成された本発明では、配線・ホース類を締付部材で複数の連結部に締付けることによって、配線・ホース類を支える支点が増えるので、配線・ホース類に対する拘束力を高めることができる。
【発明の効果】
【００１３】
本発明の配線・ホース類の固定装置は、固定部材が、互いに並設されて所定部材に取付けられ配線・ホース類の保持が可能な凹部を有する複数のフック状部と、これらのフック状部を一体に連結する連結部とで構成され、締付部材で配線・ホース類をこの連結部に締付け固定することにより、建設機械等の振動によって締付部材が破損した場合には、固定部材の凹部で配線・ホース類を保持することができるので、この配線・ホース類の脱落を防止することができる。これにより、従来に比べて配線・ホース類の安定性の高い保持構造を実現させることができる。また、配線・ホース類の固定装置を使用する場合には、固定部材の凹部が配線・ホース類を保持することができるので、締付け部材を両手で扱うことができ、容易に配線・ホース類を連結部に締付け固定することができる。これにより、従来に比べて配線・ホース類を締付け固定する際の作業性を高めることができる。
【発明を実施するための最良の形態】
【００１４】
以下、本発明に係る配線・ホース類の固定装置を実施するための最良の形態を図に基づいて説明する。
【００１５】
図１は本発明の第１実施形態に係る配線・ホース類の固定装置に備えられる固定部材を示す斜視図、図２は図１に示す固定部材の正面図、図３は第１実施形態の構成を示す側面図、図４は第１実施形態に備えられる固定部材のフック状部に配線・ホース類が載置された状態を示す斜視図、図５は第１実施形態に備えられる固定部材のフック状部に分岐部を有する配線・ホース類が載置された状態を示す斜視図である。
【００１６】
図１ないし図３に示すように、本発明の第１実施形態に係る配線・ホース類の固定装置は、建設機械例えば油圧ショベルの図示しない所定部材に固定され配線・ホース類５が載置される固定部材Ａと、この固定部材Ａに係着され配線・ホース類５を締付ける締付部材Ｂとを備えている。
【００１７】
固定部材Ａは、互いに並設されて所定部材例えばブラケット４に取付けられ配線・ホース類５の保持が可能な凹部を有する第１フック状部１及び第２フック状部２と、これらの第１フック状部１及び第２フック状部２を一体に連結する連結部３とから成っている。第１フック状部１は、ブラケット４から離れる側に位置し、ブラケット４の延設方向とほぼ平行に延設される第１鉛直部１ａと、この第１鉛直部１ａの下端に連結され弧状凹部１ｂ１を形成する湾曲部１ｂと、この湾曲部１ｂに連結され第１鉛直部１ａに対向して配置されるとともに、ブラケット４に溶接によって取付けられる第２鉛直部１ｃと、この第２鉛直部１ｃの上端に連結され第１鉛直部１ａ方向に傾斜する傾斜部１ｄとで構成されている。同様にして、第２フック状部２は、ブラケット４から離れる側に位置し、ブラケット４の延設方向とほぼ平行に延設される第１鉛直部２ａと、この第１鉛直部２ａの下端に連結され弧状凹部２ｂ１を形成する湾曲部２ｂと、この湾曲部２ｂに連結され第１鉛直部２ａに対向して配置されるとともに、ブラケット４に溶接によって取付けられる第２鉛直部２ｃと、この第２鉛直部２ｃの上端に連結され第１鉛直部２ａ方向に傾斜する傾斜部２ｄとで構成されている。そして、これらの各傾斜部１ｄ，２ｄの上端に連結部３が連結されて一体となっている。また、固定部材Ａは１本の金属製の丸棒を曲げ加工して一体型に作製されている。なお、前述した第１鉛直部１ａ，２ａの長さ寸法は比較的長く設定してあり、第２鉛直部１ｃ，２ｃの長さ寸法は第１鉛直部１ａ，２ａに比べて短い寸法に設定してある。
【００１８】
締付部材Ｂは、固定部材Ａの連結部３に配線・ホース類５を巻き付けて固定するバンド６ａと、このバンド６ａの一端に設けられ、配線・ホース類５を連結部３に巻き付けて余ったバンド６ａの他端側が挿入され、この他端側を抜け止めする抜け止め具６ｂとで構成されている。
【００１９】
このように構成される本発明の第１実施形態に係る配線・ホース類の固定装置を使用する場合、図４に示すように、まず配線・ホース類５を固定部材Ａの各湾曲部１ｂ，２ｂの上面に第１鉛直部１ａ，２ａ及び第２鉛直部１ｃ，２ｃで挟持するように載置する。次に、配線・ホース類５を載置したまま、連結部３とブラケット４の間の隙間にバンド６ａを挿入し、両手でこのバンド６ａを配線・ホース類５に巻き付けて抜け止め具６ｂに挿入する。最後に、この抜け止め具６ｂを通ったバンド６ａの端部を引っ張り、配線・ホース類５を連結部３に締付けて固定する。
【００２０】
一方、図５に示すように、本発明の第１実施形態に係る配線・ホース類の固定装置を伸長部７ａと分岐部７ｂを有する配線・ホース類７に適用する場合には、まず伸長部７ａを固定部材Ａの各湾曲部１ｂ，２ｂの上面に第１鉛直部１ａ，２ａ及び第２鉛直部１ｃ，２ｃで挟持するように載置し、分岐部７ｂを第１鉛直部１ａと第１鉛直部２ａの間に配置する。次に、配線・ホース類７を載置したまま、連結部３とブラケット４の間の隙間にバンド６ａを挿入し、両手でこのバンド６ａを伸長部７ａに巻き付けて抜け止め具６ｂに挿入する。最後に、この抜け止め具６ｂを通ったバンド６ａの端部を引っ張り、伸長部７ａを連結部３に締付けて固定する。
【００２１】
このように構成した本発明の第１実施形態によれば、固定部材Ａの第１フック状部１及び第２フック状部２によって配線・ホース類５を保持することができるので、締付部材Ｂが破損した場合には、油圧ショベルの作業に伴う振動等による配線・ホース類５の脱落をこの固定部材Ａの第１フック状部１及び第２フック状部２の湾曲部１ｂ，２ｂの弧状凹部１ｂ１，２ｂ１によって防止することができる。また、このように締付部材Ｂが破損して配線・ホース類５が弧状凹部１ｂ１，２ｂ１に保持されているときに、振動等によって配線・ホース類５が上方向に動いた場合でも、第１フック状部１及び第２フック状部２の第１鉛直部１ａ，２ａがブラケット４と平行に上方向に延設されているので、配線・ホース類５はこれらの第１鉛直部１ａ，２ａによって第１フック状部１及び第２フック状部２からの脱落を防ぐことができる。そのため、配線・ホース類５の安定性の高い保持構造を実現させることができる。また、第１鉛直部１ａと第１鉛直部２ａの間に配線・ホース類７の分岐部７ｂを配置することができるので、伸長部７ａと分岐部７ｂを有する配線・ホース類７にも適用できるとともに、分岐部７ｂの配置を容易に決定でき、組立作業のバラツキを低減することができる。
【００２２】
また、配線・ホース類の固定装置を使用するときには、固定部材Ａの第１フック状部１及び第２フック状部２が配線・ホース類５，７を保持することができるので、締付部材Ｂを両手で扱うことができ、容易に配線・ホース類５，７を固定部材Ａの連結部３に締付け固定することができる。これにより、配線・ホース類５，７を締付け固定する際の作業性を高めることができる。
【００２３】
さらに、第２鉛直部１ｃ，２ｃに連結された傾斜部１ｄ，２ｄによって、これらの傾斜部１ｄ，２ｄに連結された連結部３とブラケット４の間に締付部材Ｂのバンド６ａを挿通させることができる隙間を形成できるので、締付部材Ｂのバンド６ａをこの隙間に容易に挿通させることができ、締付作業が容易である。また、固定部材Ａは１本の金属製の丸棒を曲げ加工して作製されているので、簡単に固定部材Ａを作ることができるとともに、表面に突起物の少ない固定部材Ａを作ることができるので、配線・ホース類５，７及び締付部材Ｂのバンド６ａの損傷及び破損を軽減できる。これにより、配線・ホース類の固定装置の耐久性を高めることができる。
【００２４】
図６は本発明の第２実施形態の構成を示す側面図であり、図１ないし図３と対応する部分には同一符号を付してある。
【００２５】
図６に示すように、本発明の第２実施形態に係る配線・ホース類の固定装置が本発明の第１実施形態と異なるのは、固定部材Ａの第１鉛直部１ａの上端に規制部１ｅをブラケット４に向かって垂直に延設し、固定部材Ａの第２鉛直部２ａの上端にも規制部１ｅと同等の図示しない規制部をブラケット４に向かって垂直に延設したことであり、その他の構成は基本的に同じである。また、本発明の第２実施形態に係る配線・ホース類の固定装置を使用する場合も、上記第１実施形態と同様である。
【００２６】
このように構成した本発明の第２実施形態によれば、第１実施形態と同等の作用効果が得られる他、締付部材Ｂが破損し、配線・ホース類５，７が外れ、油圧ショベルの作業に伴う振動等によって、配線・ホース類５，７が固定部材Ａ内において上下方向に移動しても、第１鉛直部１ａの上端の規制部１ｅ、及び第１鉛直部２ａの上端の上記の図示しない規制部が配線・ホース類５，７の動きを規制することができるので、配線・ホース類５，７が固定部材Ａから脱落するのを確実に防止することができる。これにより、配線・ホース類５，７のより安定性の高い保持構造を実現させることができる。
【００２７】
図７は本発明の第３実施形態に備えられる固定部材を示す正面図、図８は本発明の第３実施形態の構成を示す側面図であり、図１ないし図３と対応する部分には同一符号を付してある。
【００２８】
図７及び図８に示すように、本発明の第３実施形態に係る配線・ホース類の固定装置が本発明の第１実施形態と異なるのは、固定部材Ａの第２鉛直部１ｃの内側及び第２鉛直部２ｃの内側に第２連結部３ａを溶接で連結したことであり、その他の構成は基本的に第１実施形態と同じである。
【００２９】
また、本発明の第３実施形態に係る配線・ホース類の固定装置を使用する場合、上記第１実施形態と同様にして、まず配線・ホース類５，７を固定部材Ａの各湾曲部１ｂ，２ｂの上面に第１鉛直部１ａ，２ａ及び第２鉛直部１ｃ，２ｃで挟持するように載置する。次に、配線・ホース類５、７を載置したまま、第２連結部３ａとブラケット４の間に生じた隙間にバンド６ａを挿入し、続けて連結部３とブラケット４の間の隙間にバンド６ａを挿通させて両手でこのバンド６ａを配線・ホース類５に巻き付けて抜け止め具６ｂに挿入する。最後に、この抜け止め具６ｂを通ったバンド６ａの端部を引っ張り、配線・ホース類５，７を連結部３と第２連結部３ａに締付けて固定する。
【００３０】
このように構成した本発明の第３実施形態によれば、第１実施形態と同等の作用効果が得られる他、固定部材Ａの第２鉛直部１ｃの内側及び第２鉛直部２ｃの内側に第２連結部３ａを溶接で連結したことによって、第２連結部３ａとブラケット４の間にバンド６ａを通すことができる隙間を形成することができる。この隙間及び連結部３とブラケット４の間の隙間にバンド６ａを挿通させて配線・ホース類５，７を締付けて固定することにより、配線・ホース類５，７を連結部３と第２連結部３ａの２つの支点で支えることができる。その結果、配線・ホース類５，７の重心が安定し、締付部材Ｂでより強固に配線・ホース類５，７を締付けることができるので、この配線・ホース類５，７に対する拘束力を高めることができる。
【００３１】
なお、上記第１実施形態では、固定部材Ａが第１フック状部１及び第２フック状部２の２本のフック状部を有する場合について説明したが、フック状部が３本以上あっても良い。このように構成すると、配線・ホース類５，７の保持力をより高めることができる。また、上記第１実施形態では、１つの締付部材Ｂによって配線・ホース類５，７を連結部３に締付け固定する場合について説明したが、締付部材Ｂを２つ以上用いてもよい。このようにすると、配線・ホース類５，７の拘束力をより高めることができる。
【００３２】
また、上記第１実施形態では、固定部材Ａの第２鉛直部１ｃ，２ｃを溶接によってブラケット４に取付けた場合について説明したが、ボルト等その他の手段を用いて所定部材に取付けてもよい。また、上記第１実施形態では、固定部材Ａを１本の金属製の丸棒を曲げ加工して作製した場合について説明したが、２本以上の丸棒あるいはその他の部材を溶接等を用いて作製してもよい。また、上記第１実施形態では、固定部材Ａの第１フック状部１及び第２フック状部２が弧状凹部１ｂ１，２ｂ１を有するように湾曲部１ｂ，２ｂをそれぞれ備えた場合について説明したが、各フック状部が配線・ホース類５，７を保持できる種々の形状、例えば側面がコ字型形状を有するように湾曲部１ｂ，２ｂを直線部等に形成してもよい。
【００３３】
また、上記第２実施形態では、固定部材Ａの第１鉛直部１ａの上端に規制部１ｅをブラケット４に向かって垂直に延設し、固定部材Ａの第２鉛直部２ａの上端に図示しない規制部をブラケット４に向かって垂直に延設した場合について説明したが、各規制部はブラケット４に向かって各鉛直部に延設されていれば、各鉛直部に垂直でなくてもよい。
【００３４】
また、上記第３実施形態では、固定部材Ａの第２鉛直部１ｃの内側及び第２鉛直部２ｃの内側に第２連結部３ａを溶接で連結した場合について説明したが、さらに固定部材Ａの第２鉛直部１ｃの内側及び第２鉛直部２ｃの内側に連結部３ａを複数連結してもよい。このようにすると、配線・ホース類５，７の拘束力をより高めることができる。
【図面の簡単な説明】
【００３５】
【図１】本発明の第１実施形態に係る配線・ホース類の固定装置に備えられる固定部材を示す斜視図である。
【図２】図１に示す固定部材の正面図である。
【図３】第１実施形態の構成を示す側面図である。
【図４】第１実施形態に備えられる固定部材のフック状部に配線・ホース類が載置された状態を示す斜視図である。
【図５】第１実施形態に備えられる固定部材のフック状部に分岐部を有する配線・ホース類が載置された状態を示す斜視図である。
【図６】本発明の第２実施形態の構成を示す側面図である。
【図７】本発明の第３実施形態に備えられる固定部材を示す正面図である。
【図８】本発明の第３実施形態の構成を示す側面図である。
【図９】従来の配線・ホース類の固定装置を示す斜視図である。
【符号の説明】
【００３６】
Ａ  固定部材
１  第１フック状部
１ａ  第１鉛直部
１ｂ  湾曲部
１ｂ１  弧状凹部
１ｃ  第２鉛直部
１ｄ  傾斜部
１ｅ  規制部
２  第２フック状部
２ａ  第１鉛直部
２ｂ  湾曲部
２ｂ１  弧状凹部
２ｃ  第２鉛直部
２ｄ  傾斜部
３  連結部
３ａ  第２連結部
４  ブラケット（所定部材）
５  配線・ホース類
Ｂ  締付部材
６ａ  バンド
６ｂ  抜け止め具
７  配線・ホース類
７ａ  伸長部
７ｂ  分岐部
【図１】
2010112476.tif 000003
【図２】
2010112476.tif 000004
【図３】
2010112476.tif 000005
【図４】
2010112476.tif 000006
【図５】
2010112476.tif 000007
【図６】
2010112476.tif 000008
【図７】
2010112476.tif 000009
【図８】
2010112476.tif 000010
【図９】
2010112476.tif 000011